【手続補正書】
【提出日】平成23年8月25日(2011.8.25)
【手続補正１】
【補正対象書類名】特許請求の範囲
【補正対象項目名】全文
【補正方法】変更
【補正の内容】
【特許請求の範囲】
【請求項１】
互いに一定の距離を挟んで対向して配置された第１の基板及び第２の基板、
第１の基板と第２の基板との間に液晶分子を封止して成る液晶層、
配向膜、
第１の基板側に形成された対向電極、
第１の基板側に形成された画素電極、並びに、
画素電極に電気的に接続された薄膜トランジスタ、
を有する液晶パネルであって、
画素電極は、複数の電極枝、及び、複数の電極枝の両端を連結する連結部から構成されており、
複数の電極枝は、直線部分において、互いに平行に配置されており、
各電極枝は、一方の連結部から他方の連結部に亙り、第１の屈曲点、第４の屈曲点、第３の屈曲点、第５の屈曲点、及び、第２の屈曲点を、この順に有し、
配向膜の配向方向をＹ方向としたとき、画素電極において、一方の連結部と電極枝の第１の屈曲点との間の領域によって形成されるスリットの延設方向とＹ方向とが成す角度をα１、電極枝の第１の屈曲点と第４の屈曲点との間の領域によって形成されるスリットの延設方向とＹ方向とが成す角度をα２、電極枝の第４の屈曲点と第３の屈曲点との間の領域によって形成されるスリットの延設方向とＹ方向とが成す角度をα３としたとき、電極枝の第３の屈曲点と第５の屈曲点との間の領域によって形成されるスリットの延設方向とＹ方向とが成す角度は−α３であり、電極枝の第５の屈曲点と第２の屈曲点との間の領域によって形成されるスリットの延設方向とＹ方向とが成す角度は−α２であり、電極枝の第２の屈曲点と他方の連結部との間の領域によって形成されるスリットの延設方向とＹ方向とが成す角度は−α１であり、
７（度）≦α１
０（度）＜α２
７（度）≦α３
α２＜α１
α２＜α３
を満足し、
薄膜トランジスタと画素電極は、一方の連結部において、画素電極コンタクト部を介して接続されている液晶パネル。
【請求項２】
７（度）≦α２を満足する請求項１に記載の液晶パネル。
【請求項３】
第３の屈曲点は、ディスクリネーションの消失時間短縮のために設けられている請求項１又は請求項２に記載の液晶パネル。
【請求項４】
リバースツイストラインの消失時間短縮のため、第３の屈曲点において、各電極枝は連結枝によって相互に接続されている請求項１乃至請求項３のいずれか１項に記載の液晶パネル。
【請求項５】
薄膜トランジスタと画素電極は、更に、他方の連結部においても、画素電極コンタクト部を介して接続されている請求項１乃至請求項４のいずれか１項に記載の液晶パネル。
【請求項６】
互いに一定の距離を挟んで対向して配置された第１の基板及び第２の基板、
第１の基板と第２の基板との間に液晶分子を封止して成る液晶層、
配向膜、
第１の基板側に形成された対向電極、
第１の基板側に形成された画素電極、並びに、
画素電極に電気的に接続された薄膜トランジスタ、
を有する液晶パネルであって、
画素電極は、複数の電極枝、及び、複数の電極枝の両端を連結する連結部から構成されており、
複数の電極枝は、直線部分において、互いに平行に配置されており、
各電極枝は、一方の連結部から他方の連結部に亙り、第１の屈曲点、第３の屈曲点、及び、第２の屈曲点を、この順に有し、
配向膜の配向方向をＹ方向としたとき、画素電極において、一方の連結部と電極枝の第１の屈曲点との間の領域によって形成されるスリットの延設方向とＹ方向とが成す角度をα１、電極枝の第１の屈曲点と第３の屈曲点との間の領域によって形成されるスリットの延設方向とＹ方向とが成す角度をα２としたとき、電極枝の第３の屈曲点と第２の屈曲点との間の領域によって形成されるスリットの延設方向とＹ方向とが成す角度は−α２であり、電極枝の第２の屈曲点と他方の連結部との間の領域によって形成されるスリットの延設方向とＹ方向とが成す角度は−α１であり、
７（度）≦α１
０（度）＜α２
α２＜α１
を満足し、
薄膜トランジスタと画素電極は、一方の連結部において、画素電極コンタクト部を介して接続されている液晶パネル。
【請求項７】
７（度）≦α２を満足する請求項６に記載の液晶パネル。
【請求項８】
リバースツイストラインの消失時間短縮のため、第３の屈曲点において、各電極枝は連結枝によって相互に接続されている請求項６又は請求項７に記載の液晶パネル。
【請求項９】
薄膜トランジスタと画素電極は、更に、他方の連結部においても、画素電極コンタクト部を介して接続されている請求項８に記載の液晶パネル。
【請求項１０】
互いに一定の距離を挟んで対向して配置された第１の基板及び第２の基板、
第１の基板と第２の基板との間に液晶分子を封止して成る液晶層、
配向膜、
第１の基板側に形成された対向電極、
第１の基板側に形成された画素電極、並びに、
画素電極に電気的に接続された薄膜トランジスタ、
を有する液晶パネルであって、
画素電極は、複数の電極枝、及び、複数の電極枝の両端を連結する連結部から構成されており、
各電極枝は、一方の連結部から他方の連結部に亙り、第１の屈曲点、及び、第２の屈曲点を有し、
複数の電極枝は、直線部分において、互いに平行に配置されており、
電極枝の第１の屈曲点と第２の屈曲点との間の領域によって形成されるスリットの延設方向をＹ方向としたとき、画素電極において、一方の連結部と電極枝の第１の屈曲点との間の領域によって形成されるスリットの延設方向と配向膜の配向方向とが成す角度をα１、配向膜の配向方向とＹ方向とが成す角度をα２としたとき、一方の連結部と電極枝の第１の屈曲点との間の領域によって形成されるスリットの延設方向とＹ方向とが成す角度は（α１＋α２）であり、電極枝の第２の屈曲点と他方の連結部との間の領域によって形成されるスリットの延設方向とＹ方向とが成す角度は−（α１＋α２）であり、
７（度）≦α１
０（度）＜α２
を満足し、
薄膜トランジスタと画素電極は、一方の連結部において、画素電極コンタクト部を介して接続されている液晶パネル。
【請求項１１】
α１≦１５（度）を満足する請求項１０に記載の液晶パネル。
【請求項１２】
互いに一定の距離を挟んで対向して配置された第１の基板及び第２の基板、
第１の基板と第２の基板との間に液晶分子を封止して成る液晶層、
配向膜、
第１の基板側に形成された対向電極、
第１の基板側に形成された画素電極、並びに、
画素電極に電気的に接続された薄膜トランジスタ、
を有する液晶パネルであって、
画素電極は、複数の電極枝、及び、複数の電極枝の両端を連結する連結部から構成されており、
各電極枝は、一方の連結部の近傍に第１の屈曲点を有し、
複数の電極枝は、直線部分において、互いに平行に配置されており、
電極枝の第１の屈曲点と他方の連結部との間の領域によって形成されるスリットの延設方向をＹ方向としたとき、画素電極において、一方の連結部と電極枝の第１の屈曲点との間の領域によって形成されるスリットの延設方向と配向膜の配向方向とが成す角度をα１、配向膜の配向方向とＹ方向とが成す角度をα２としたとき、一方の連結部と電極枝の第１の屈曲点との間の領域によって形成されるスリットの延設方向とＹ方向とが成す角度は（α１＋α２）であり、
７（度）≦α１
０（度）＜α２≦α１
を満足し、
薄膜トランジスタと画素電極は、一方の連結部において、画素電極コンタクト部を介して接続されている液晶パネル。
【請求項１３】
α１≦１５（度）を満足する請求項１２に記載の液晶パネル。
【請求項１４】
７（度）≦α２を満足する請求項１２に記載の液晶パネル。
【請求項１５】
画素電極及び対向電極は同じ階層面に形成されている請求項１乃至請求項１４のいずれか１項に記載の液晶パネル。
【請求項１６】
画素電極及び対向電極は異なる階層面に形成されている請求項１乃至請求項１４のいずれか１項に記載の液晶パネル。
【請求項１７】
請求項１乃至請求項１６のいずれか１項に記載の液晶パネル、
液晶パネルを駆動する駆動回路、
システム全体の動作を制御するシステム制御部、及び、
システム制御部に対する操作入力を受け付ける操作入力、
を有する電子機器。
【手続補正２】
【補正対象書類名】明細書
【補正対象項目名】０００１
【補正方法】変更
【補正の内容】
【０００１】
この明細書で説明する発明は、画素電極と対向電極との間に発生される横方向電界により液晶分子の配列を基板面と平行に回転制御する駆動方式の液晶パネルに関する。なお、この明細書で提案する発明は、当該液晶パネルを搭載した電子機器としての側面を有する。
【手続補正３】
【補正対象書類名】明細書
【補正対象項目名】００１０
【補正方法】変更
【補正の内容】
【００１０】
ところで、このディスクリネーションに外部圧力（指押し等）が加わると、液晶分子の配列の乱れは、電極枝１３Ａの延設方向に沿って広り、さらに画素の上部、下部のそれぞれから広がるディスクリネーションが画素中央で結合し、形状が保持されてしまう特性がある。なお、このディスクリネーション内における液晶分子は、電界方向から決定される方向とは逆方向に回転してしまっている。以下この現象を、リバースツイスト現象と呼ぶことにする。
図５に、リバースツイスト現象の発生例を示す。図５では、この液晶分子の配列の乱れた領域４３を、電極枝１３Ａの延設方向に沿って延びる網掛け表示として表している。
【手続補正４】
【補正対象書類名】明細書
【補正対象項目名】００２２
【補正方法】変更
【補正の内容】
【００２２】
なお、基板の透明性は光の射出側だけ確保されていれば良く、他方の基板側は不透性の基板でも良い。
この他、液晶パネルモジュール５１には、外部信号や駆動電源を入力するためのＦＰＣ（フレキシブルプリントサーキット）５７が必要に応じて配置される。
【手続補正５】
【補正対象書類名】明細書
【補正対象項目名】００３０
【補正方法】変更
【補正の内容】
【００３０】
すなわち、スリット３１の延設方向は、信号線２１に平行であり、走査線２３に垂直であるように形成されている。
また、図８では、液晶層７の配向方向を矢印線で示す。図８の場合、紙面斜め右上方向が液晶層７の配向方向である。図８では、液晶層７の液晶層７とスリット３１の延設方向との交差角をαとして示している。
【手続補正６】
【補正対象書類名】明細書
【補正対象項目名】００３７
【補正方法】変更
【補正の内容】
【００３７】
ところで、図９〜図１１に示す特性は、図８に示すように画素領域の全域について、画素電極１３のスリット３１と液晶層７の配向方向とが一定の交差角αで交差する場合を前提とする。この場合、表示ムラの消失時間の短縮を優先して交差角αを設定すると相対的な透過率は小さくなり、相対的な透過率を優先して交差角αを設定すると表示ムラの消失時間が長くなる。
【手続補正７】
【補正対象書類名】明細書
【補正対象項目名】００７１
【補正方法】変更
【補正の内容】
【００７１】
（Ｈ）画素構造例６
図２１に、６つ目の画素構造例を示す。なお、図２１に示す画素構造は、図１９に示した画素構造の変形例に対応する。
前述した４つ目の画素構造（図１９）の場合には、２つのドメインを完全に分離し、ドメイン境界部分の配向乱れを抑制する手法を採用した。
【手続補正８】
【補正対象書類名】明細書
【補正対象項目名】００７７
【補正方法】変更
【補正の内容】
【００７７】
（Ｉ）画素構造例７
図２２に、７つ目の画素構造例を示す。なお、図２２に示す画素構造は、図２０に示した画素構造の変形例に対応する。
５つ目の画素構造の場合には、２つのドメインを完全に分離することにより、配向乱れを抑制する手法を採用した。ただし、この画素構造の場合には、どうしても連結枝１３Ｃの近傍領域にディスクリネーションが発生してしまう。
【手続補正９】
【補正対象書類名】明細書
【補正対象項目名】００７９
【補正方法】変更
【補正の内容】
【００７９】
すなわち、この７つ目の画素構造例では、３つ目の屈曲点の近傍領域の配向安定性を強めることにより、配向乱れを抑制する手法を採用する。
勿論、図２２に示す画素構造は、３つ目の屈曲点よりＸ軸方向に延びる仮想線を境界として上下鏡面構造になる点は、図２０に示した５つ目の画素構造と同じである。
【手続補正１０】
【補正対象書類名】明細書
【補正対象項目名】００８５
【補正方法】変更
【補正の内容】
【００８５】
図２４に、９個目の画素構造例に対応する断面構造例を示す。なお、画素電極１３と対向電極１５以外の構造は、基本的に図１及び図２で説明した画素構造と同じである。
すなわち、液晶パネル９１は、２枚のガラス基板３及び５と、これらによって挟み込まれるように封入された液晶層７とで構成される。各基板のうち外側表面には偏光板９が配置され、内側表面には配向膜１１が配置される。
【手続補正１１】
【補正対象書類名】明細書
【補正対象項目名】００９６
【補正方法】変更
【補正の内容】
【００９６】
デジタルカメラ１２１は、保護カバー１２３、撮像レンズ部１２５、表示画面１２７、コントロールスイッチ１２９及びシャッターボタン１３１で構成される。このうち、表示画面１２７の部分が、形態例で説明した液晶パネルに対応する。